(57)【要約】      （修正有）【課題】建築工事の進捗状況如何を問わず、電気錠のシステム工事に着手することができ、電池錠の無駄な電力消費を極力抑えることのできる電気錠を提供する。【解決手段】建物のドア１６に配置され電池６で作動する電池錠Ｘと、携帯機Ｚと、電池錠Ｘと携帯機Ｚとの間に介在する中継制御装置Ｙとから成る電気錠装置１であって、電池錠Ｘは検知信号又は操作スイッチ信号のいずれかにより休止モードから起動モードに切り換り、中継制御装置Ｙを通じて携帯機Ｚにリクエスト信号を送信し、携帯機Ｚはリクエスト信号を取得すると外部にＩＤデータを送信し、中継制御装置ＹはそのＩＤデータに基づいて、少なくとも起動信号を外部に送信し、電池錠Ｘは起動信号を取得するとドアロック手段２２に対して解錠駆動信号を出力する。少なくとも中継制御装置Ｙ又は電池錠Ｘのいずれかは、解錠に関するデータの適否を判断する認証手段３４を備えている。【選択図】図１
2015001142.tif 000002
【特許請求の範囲】
【請求項１】
建物のドアに配置され電池を電源として電気的に作動する電池錠と、電気的に作動する携帯機と、前記電池錠と前記携帯機との間で互いに無線信号で通信することができるように介在しかつ前記ドア又はドアの付近のいずれかに配置された中継制御装置とから成る電気錠装置であって、前記電池錠は自己の電源を消費しない休止状態から自己の電源を消費する起動状態に切り換えるモード切換え手段を有する制御手段、送信回路と受信回路を有する送受信手段及びドアロック手段を備え、前記中継制御装置は中継送受信手段を備え、前記携帯機は受信手段及びＩＤデータ送信手段を備えており、前記電池錠の制御手段は検知信号又は操作スイッチ信号のいずれかにより前記休止モードから起動モードに切り換り、前記送受信手段は前記制御手段の制御に基づいて前記中継制御装置にリクエスト発動命令信号を送信し、前記中継制御装置は前記中継送受信手段を介して前記携帯機にリクエスト信号を送信し、前記携帯機は前記受信手段を介して前記リクエスト信号を取得すると前記ＩＤデータ送信手段は外部にＩＤデータを送信し、前記中継制御装置は、前記中継送受信手段を介して前記ＩＤデータを取得すると該中継送受信手段を介して、少なくとも起動信号を外部に送信し、前記電池錠の制御手段は、前記受信回路を介して少なくとも前記起動信号を取得すると、前記ドアロック手段に対して解錠駆動信号を出力するように制御し、さらに、少なくとも前記中継制御装置又は電池錠のいずれかは、解錠に関するデータの適否を判断する認証手段を備えていることを特徴とする電気錠装置。
【請求項２】
請求項１に於いて、前記電池錠の送受信手段の待機待ち状態の受信回路は、電池錠の電池を使用しない電磁波エネルギーによって電磁誘導する受信アンテナ、コンデンサ、ＩＣを備え、中継制御装置から前記電磁波エネルギーを有する電波を受信することを条件として起動することを特徴とする電気錠装置。
【請求項３】
請求項１又は請求項２に於いて、電池錠の制御手段は送信回路にリクエスト発動命令信号を出力するように制御した後、直ちにモード切換え手段により、電力を消費する起動モードから電池の電力を消費しない休止モードに切り換え、受信回路から起動信号を受けた後に休止モードから起動モードに再び復活して前記電池から給電を受けることを特徴とする電気錠装置。
【請求項４】
請求項１に於いて、無線信号は、命令を運ぶ低い周波数帯域と、ＩＤデータを運ぶ高い周波数帯域に区別されていることを特徴とする電気錠装置。
【請求項５】
請求項１に於いて、中継制御装置がドアの付近に配置された場合には、該中継制御装置の外観形状は、円形又は角形のいずれかの薄型ケースユニットで、該薄型ケースユニットは、商業用交流電源用の差し込みプラグを有する所要長さのコードを備えていることを特徴とする電気錠装置。
【請求項６】
建物のドアに配置され電池を電源として電気的に作動する電池錠と、電気的に作動する携帯機と、前記電池錠と前記携帯機との間で互いに無線信号で通信することができるように介在しかつ前記ドア又はドアの付近の壁のいずれかに配置された中継制御装置とから成る電気錠装置の解錠方法であって、前記電池錠は検知信号又は操作スイッチ信号のいずれかにより自己の電源を消費しない休止モードから自己の電源を消費する起動モードに切り換り、かつ送受信手段は制御手段の指令に基づきリクエスト発動命令信号を送信する第１段階と、前記中継制御装置は中継送受信手段を介して前記リクエスト発動命令信号を取得すると携帯機に対してリクエスト信号を送信する第２段階と、前記携帯機は受信手段を介して前記リクエスト信号を取得するとＩＤデータ送信手段を介して外部にＩＤデータを送信する第３段階と、前記中継制御装置は前記中継送受信手段を介してＩＤデータを取得すると該中継送受信手段を介して解錠命令信号を外部に送信する第４段階と、そして、前記電池錠は送受信手段を介して前記解錠命令信号を取得するとドアロック手段に対して解錠駆動信号を出力するように制御して解錠する第５段階とから成り、少なくとも前記中継制御装置又は電池錠のいずれかは解錠に関するデータの適否を判断する認証手段を備えていることを特徴とする電気錠装置の解錠方法。
【請求項７】
請求項６に於いて、携帯機は携帯電子キーであり、筺体としての扁平状摘み部と、該扁平状摘み部の中にその基端部が固定的に支持されたブレード部分とから成ることを特徴とする電気錠装置の解錠方法。
【発明の詳細な説明】
【技術分野】
【０００１】
本発明は、主に建具の出入り口で利用される電気錠装置及び電気錠装置の解錠方法に関する。
【背景技術】
【０００２】
特許文献１の発明の課題は、携帯機の電池の寿命を延ばすことで、その具体的な構成は、外部からのリクエスト信号に応答して該携帯機毎に個別に設定されたＩＤコードを含む信号を送信する携帯機２において、記リクエスト信号を受信する受信手段１０と、前記ＩＤコードを含む信号を送信する送信手段３０と、該携帯機２の電源としての電池４０とを備え、前記受信手段１０は、前記リクエスト信号の受信に伴って該リクエスト信号から電磁波エネルギーを得ることにより前記電池４０から電力を得ることなく起動される一方、前記送信手段３０は、前記電池４０から電力を得ることにより前記ＩＤコードを含む信号を送信することである（符号は特許文献１のもの）。この特許文献１の携帯機２は、自動車の自動解錠機能を有する電子キーシステムとして利用されているが、建物の出入り口に配設される電気錠装置ではない。
【０００３】
これに対して、特許文献２は、車両や建物の出入り口に配設されるドア錠などを施・解錠する電気錠装置である。この特許文献２の発明の課題は、ノイズの受信に起因する作動を抑制して電力消費量を低減させることができることで（段落００１３）、この課題を解決するために、請求項１に記載の発明では、所定の周波数帯域の電波を受信する受信手段と、その電波が携帯機から送信された無線信号であると判断したことを条件として錠を施解錠させる制御手段とを備える施解錠制御装置において、前記受信手段を所定の周期で間欠的に作動させる間欠作動手段を備え、前記受信手段は、作動状態で前記電波を受信したときに前記制御手段に対して起動信号を出力し、前記制御手段は、起動モードと、その起動モードよりも消費電力量が少ない休止モードとを有し、前記起動信号が入力されたときには前記休止モードから前記起動モードに切り換わって前記受信した電波が前記携帯機から送信された無線信号であるか否かを判定する判定処理を行うとともに、前記起動モードに切り換わった回数をカウントする計数処理と、前記電波が前記携帯機から送信された無線信号であると判定したことを条件としてカウント数をクリアする計数クリア処理と、前記カウント数が所定回数に達したときに、その後の前記間欠作動手段による受信手段の間欠作動を禁止する作動禁止処理を行うことを要旨とする（段落００１４）。
【０００４】
この特許文献の施・解錠制御装置２１は、錠箱内にバッテリ２５を内蔵し（段落００３３）、その受信回路２３の電子端子はタイマー回路２６を介して前記バッテリ２５に接続されている（段落００３５）。付言すると、受信回路２３はタイマー回路２６を介して前記バッテリ２５から給電を受ける（段落００３６）。
【０００５】
また送信回路を制御するマイコン２４も上記バッテリ２５から給電を受ける（段落００３８）。そして、この特許文献の「消費電力を抑える」という特徴事項は段落００３８に記載されている（符号は特許文献２のもの）。
【０００６】
しかしながら、特許文献２には、携帯機１１と施・解錠制御装置２１との間に「中継制御装置」を配設する事項は記載されていない。それ故に、本発明の主な課題は示唆されていない。
【先行技術文献】
【特許文献】
【０００７】
【特許文献１】特開２００５−２２６２５４号
【特許文献２】特開２００４−１０７９０６号
【発明の概要】
【発明が解決しようとする課題】
【０００８】
本願発明の主な課題は、建築工事の進捗状況如何を問わず、電気錠のシステム工事に着手することができること、また他の課題は、少なくとも電池錠の無駄な電力消費を極力抑えることができることである。
【課題を解決するための手段】
【０００９】
本発明の電気錠装置は、建物のドアに配置され電池を電源として電気的に作動する電池錠と、電気的に作動する携帯機と、前記電池錠と前記携帯機との間で互いに無線信号で通信することができるように介在しかつ前記ドア又はドアの付近のいずれかに配置された中継制御装置とから成る電気錠装置であって、前記電池錠は自己の電源を消費しない休止状態から自己の電源を消費する起動状態に切り換えるモード切換え手段を有する制御手段、送信回路と受信回路を有する送受信手段及びドアロック手段を備え、前記中継制御装置は中継送受信手段を備え、前記携帯機は受信手段及びＩＤデータ送信手段を備えており、前記電池錠の制御手段は検知信号又は操作スイッチ信号のいずれかにより前記休止モードから起動モードに切り換り、前記送受信手段は前記制御手段の制御に基づいて前記中継制御装置にリクエスト発動命令信号を送信し、前記中継制御装置は前記中継送受信手段を介して前記携帯機にリクエスト信号を送信し、前記携帯機は前記受信手段を介して前記リクエスト信号を取得すると前記ＩＤデータ送信手段は外部にＩＤデータを送信し、前記中継制御装置は、前記中継送受信手段を介して前記ＩＤデータを取得すると該中継送受信手段を介して、少なくとも起動信号を外部に送信し、前記電池錠の制御手段は、前記受信回路を介して少なくとも前記起動信号を取得すると、前記ドアロック手段に対して解錠駆動信号を出力するように制御し、さらに、少なくとも前記中継制御装置又は電池錠のいずれかは、解錠に関するデータの適否を判断する認証手段を備えていることを特徴とする。
【００１０】
上記構成に於いて、前記電池錠の送受信手段の待機待ち状態の受信回路は、電池錠の電池を使用しない電磁波エネルギーによって電磁誘導する受信アンテナ、コンデンサ、ＩＣを備え、中継制御装置から前記電磁波エネルギーを有する電波を受信することを条件として起動することを特徴とする。また無線信号は、命令を運ぶ低い周波数帯域と、ＩＤデータを運ぶ高い周波数帯域に区別されていることを特徴とする。さらに、中継制御装置がドアの付近に配置された場合には、該中継制御装置の外観形状は、円形又は角形のいずれかの薄型ケースユニットで、該薄型ケースユニットは、商業用交流電源用の差し込みプラグを有する所要長さのコードを備えていることを特徴とする。
【００１１】
また本発明の電気錠装置の解錠方法は、建物のドアに配置され電池を電源として電気的に作動する電池錠と、電気的に作動する携帯機と、前記電池錠と前記携帯機との間で互いに無線信号で通信することができるように介在しかつ前記ドア又はドアの付近の壁のいずれかに配置された中継制御装置とから成る電気錠装置の解錠方法であって、前記電池錠は検知信号又は操作スイッチ信号のいずれかにより自己の電源を消費しない休止モードから自己の電源を消費する起動モードに切り換り、かつ送受信手段は制御手段の指令に基づきリクエスト発動命令信号を送信する第１段階と、前記中継制御装置は中継送受信手段を介して前記リクエスト発動命令信号を取得すると携帯機に対してリクエスト信号を送信する第２段階と、前記携帯機は受信手段を介して前記リクエスト信号を取得するとＩＤデータ送信手段を介して外部にＩＤデータを送信する第３段階と、前記中継制御装置は前記中継送受信手段を介してＩＤデータを取得すると該中継送受信手段を介して解錠命令信号を外部に送信する第４段階と、そして、前記電池錠は送受信手段を介して前記解錠命令信号を取得するとドアロック手段に対して解錠駆動信号を出力するように制御して解錠する第５段階とから成り、少なくとも前記中継制御装置又は電池錠のいずれかは解錠に関するデータの適否を判断する認証手段を備えていることを特徴とする。
【００１２】
ここで「電池錠」とは、電気的に動作する又は制御される錠前において、その駆動電源が有線で外部からの電力供給を受けるものではなく、乾電池やリチウム電池等の電源を備えているものをいう。付言すると、電池錠は、電気錠のシステム工事の際、商業用交流電源と接続するための配線等が不要である反面、電源の電気が切れたときは、電池の交換又は充電等により電気を供給しなくてはなら欠点がある。
【発明の効果】
【００１３】
（ａ）請求項１及び請求項５に記載の発明は、ドアを建物の出入り口に取り付ける「建築工事」と、電池錠をドア及びドア付近に取付ける、いわゆる「電気錠のシステム工事」とを分離することができるので、前記建築工事の進捗状況如何を問わず、電気錠のシステム工事に着手することができる。また電気錠のシステム工事の中に「電池錠」なる概念を導入したので、配線工事が不要である。その結果、電気錠のシステム工事を非常に楽にかつ迅速に行うことができる。さらに、少なくとも電池錠の無駄な電力消費を極力抑えることができる。
（ｂ）請求項２又は／及び請求項３に記載の発明は、待機待ち状態の受信回路、制御手段等が電池錠の電池を使用しないので、電池の寿命を可能な限り最大限に延ばすことができる。
（ｃ）請求項４に記載の発明は、ＩＤデータを送信する際に、高い周波数帯域の電波（ＶＨＦ）を利用するので、電波がダイレクトに流れ、その結果、信頼性・確実性を得ることができる。
（ｄ）請求項５に記載の発明は、中継制御装置がプラグを有するコンパクト型なので、電気錠の電池を消費しないで済むと共に、管理・運搬性・利便性に優れている。
（ｅ）請求項６に記載の発明は、電池錠を電気的にも、機械的にも解錠可能である。
【図面の簡単な説明】
【００１４】
【図１】本発明の電気錠装置の構成を示すブロック図（物の発明）。
【図２】電池錠と中継制御装置の無線通信を示す概略説明図。
【図３】中継制御装置と携帯機の無線通信を示す概略説明図。
【図４】本発明の電気錠装置の解錠方法を示す工程図。
【図５】中継制御装置がドアに配設されている場合の実施形態（装置の第２実施形態）。
【図６】認証手段が電池錠の制御手段に設けられている場合の実施形態（装置の第３実施形態）。
【図７】電池錠の受信回路が電池錠の電池を消費しない実施形態（装置の第４実施形態）。
【発明を実施するための最良の形態】
【００１５】
図１乃至図３は本発明の電気錠装置を示し、一方、図４は本発明の電気錠装置の解錠方法を示す。両者の違いは、電気錠装置は電池錠を構成する各手段、携帯機を構成する各手段等は、明細書記載のものにある程度限定され得るのに対して、電気錠装置の解錠方法は、構成要件を充足さえすれば、必ずしも、本実施形態で記載した具体的な構成に限定されない（均等構成のものも当然に含む）。以下、本発明の電気錠装置を説明し、次に、本発明の電気錠装置の解錠方法を説明する。
【００１６】
電気錠装置（１）は、電池錠Ｘと中継制御装置Ｙと携帯機Ｚの３つ構成要素を備えている。電池錠Ｘの外観構成、内蔵する駆動部材、作動部材等は図２で示すとおりである。すなわち、２は錠箱、３は台座、４は台座にその軸部が回転自在に装着されたハンドル、５は前記台座又はハンドル４或いは又ドア１６或いは又シリンダ１５のいずれかに設けられた押しボタン式のスイッチ又は接触式の検知手段、６は電源としての電池、１１は前記電池により駆動する駆動モータ、１２は駆動モータの出力軸、１３は駆動モータ１１とデッドボルト１４の間に配設され、前記駆動モータ１１の駆動力をデッドボルト１４に伝達する動力伝達歯車、１５はシリンダである。なお、図２の電気錠Ｘの外観構成等は説明の便宜上減速機構、クラッチ機構等の事項は割愛してある。
【００１７】
図１の「電池錠Ｘ」は、本発明に必要な特定事項を概略的に示したものである。電池錠Ｘは、建物のドア１６の開閉端部に設けられるものである。電池錠Ｘは、図１のブロック図で示すように錠箱２に電源（電池）６を内蔵し、該電源６によって作動する制御手段２０、送受信手段２１及びドアロック手段２２を備えている。制御手段２０はモード切換え手段２０ａを有する。
【００１８】
ここで、要部の一つである制御手段２０のモード切換え手段（機能）２０ａについて説明する。前述したように、実施形態では台座３又はハンドル４或いは又ドア１６或いは又シリンダ１５のいずれかに押しボタン式のスイッチ又は接触式の検知手段５が設けられているが、この検知手段の検知信号又は手動操作によりスイッチ５が「起動信号」に相当する。起動信号により、制御手段等は、電池６から給電を受ける。この実施形態では、図７の実施形態とは相違し、送受信手段２１も制御手段等と同様に電池６から給電を受ける。
実施化レベルでは、確実性を担保するために、前記検知手段５は携帯機の所持者が接触する人体接触型が望ましい。またスイッチを用いる時は押しボタン型が望ましい。
【００１９】
起動信号が制御手段２０に入力されると、モード切換え手段２０ａは前記起動信号をトリガーとして自己の電源６を消費しない休止状態から自己の電源６を消費する起動状態に切り換る。そうすると、制御手段２０、送受信手段２１及びドアロック手段２２は、電池錠Ｘとして作動可能な状態になる。
【００２０】
付言すると、後述する携帯機Ｚの如く、リクエスト信号から得られた電磁波エネルギーを利用せず、実施形態の電池錠Ｘは、上記起動信号を介して電源６を消費する作動状態となる。したがって、電池錠Ｘは「休止モード」のときは電源６を全く消費しない。
【００２１】
しかして、制御手段２０は、例えばそれ自体クロック機能を有し、特に図示しないが、必要に応じて、メモリの中に施錠状態か否かの錠状態情報、電池錠の識別情報、当該電池錠に関連付けられた携帯機Ｚの識別情報、中継制御装置Ｙに関する情報、電池錠を解錠するために必要な情報、その他中継制御装置Ｙと交信するために必用な情報等を適宜に有する。もちろん、前記携帯機Ｚの識別情報等が必要でない場合にはメモリの中に格納する必要はない。また制御手段２０はリクエスト発動命令信号を発するためのプログラム又は電子回路を有する。
【００２２】
ところで、起動信号の発生は単純な電気回路の「ＯＮ」、「ＯＦＦ」を用いている。また電気錠の施錠制御は本発明の本質的事項ではないものの、例えば中継制御装置Ｙから施錠命令信号が来たとき、施錠操作信号が来たとき、所定時間内に施錠命令信号が来ないとき、情報が一致しなくなったとき等に適宜に実行される。
【００２３】
送受信手段２１は制御手段２０の指令に基づいて後述の中継制御装置Ｙにリクエスト発動命令信号（例えば単純な命令信号の他に、必用に応じて電気錠の識別情報、携帯機の識別情報、解錠指令要求信号等を含む）を送信する。また制御手段２０は、前記送受信手段２１を介して前記中継制御装置Ｙから、少なくとも起動信号（実施形態によっては、起動信号と共に解錠指令信号）を取得すると、前記ドアロック手段２２に対して解錠駆動信号を出力するように制御する。
【００２４】
さて、本発明の電気錠装置（１）は、建物のドア１６に配置され電池６を電源として電気的に作動する電池錠Ｘと、望ましくは電池３０を電源として電気的に作動する携帯機Ｚと、前記電池錠Ｘと前記携帯機Ｚとの間で互いに無線信号で通信することができるように介在し、かつ前記ドア１６又はドアの付近の壁・床・天井・パネル・看板、スタンド等の物（物の一部も含む）に単数又は複数配置された中継制御装置Ｙとから成るので、次に携帯機Ｚについて説明する。
【００２５】
携帯機Ｚは、例えば携帯電子キーであり、該携帯電子キーＺは建物の居住者、従業員等の所持者が占有するもので、該携帯機としての携帯電子キーＺは電池錠Ｘのシリンダ１５を電気的にも機械的にも解錠することができる。図３は実施形態の携帯機Ｚの外観構成を示すもので、この携帯機Ｚは、筺体としての扁平状摘み部２５と、該扁平状摘み部２５の中にその基端部が固定的に支持されたブレード部分２６とから成る。
【００２６】
図１に示す左側が携帯機Ｚのブロック図である。この携帯機Ｚのブロック図は本発明の特徴事項を要約して示したものである。つまり、携帯機Ｚは待ち受け状態の受信機能２７及びＩＤデータ送信機能２８を有している。具体的構成は、例えば特許文献１に記載の携帯機（電磁波エネルギーを利用するもの）と同様である。
【００２７】
したがって、携帯機Ｚは、図示しない判断手段（ＩＣ）を有する待ち受け状態の受信手段２７と、ＩＤデータ送信手段２８を構成するマイコン（マイクロコンピュータ）及び送信回路と、前記ＩＤデータ送信手段用の電源としての電池３０を備えている。実施形態の待ち受け状態の受信手段２７は、中継制御装置Ｙから送信されてくるリクエスト信号を乗せた低い帯域の電波（ＬＦ）を受信するためのもので、特に図示しないが判断手段（ＩＣ）を備えている。該待ち受け状態の受信手段２７は、電磁波エネルギーにより電力を賄う受信回路と、該受信回路が起動した後に「リクエスト信号か否か」を判断する判断手段（ＩＣ）とから成る。なお、受信アンテナ、コンデンサ等を有する受信回路の具体的構成については、当業者にとって自明事項なので、図示および詳細な説明を割愛する。
【００２８】
一方、ＩＤデータ送信手段２８はＣＰＵ、ＲＯＭ、ＲＡＭ等からなるＣＰＵユニットであり、メモリを備えている。このメモリには、携帯機毎に個別に設定されたＩＤコードが記憶されている。そして、マイコンは、待ち受け状態の受信手段２７から上述の判断手段（ＩＣ）を介してリクエスト信号を受け取ると、該リクエスト信号に応答するためにＩＤコードを送信回路に出力する。送信回路は、その出力信号を所定周波数の電波に変調して送信する。電池はリクエスト信号に応答してＩＤコードを含む信号を送信するための電源である。
【００２９】
上記構成の携帯機Ｚは、待ち受け状態の受信手段２７を介してクエスト信号を取得すると、判断手段（ＩＣ）を経た後、そのＩＤデータ送信手段２８は外部にＩＤデータ信号を高い帯域の周波数（ＶＨＦ）の電波に乗せてダイレクトに送信する。なお、本発明の従属的事項ではあるが、実施形態の無線信号は、命令を運ぶ低い周波数帯域（ＬＦ）と、電池錠に関するデータを運ぶ高い周波数帯域（ＶＨＦ）に区別されている。
【００３０】
中継制御装置Ｙは、建物のドア１６の外壁面・内部又はドア付近の壁、パネル、スタンド等のいずれか又は全部に取り付けられるもので、その外観形状は円形又は角形のいずれかの薄型ケースユニットである。実施形態では、管理・運搬性・利便性・電源に配慮して、薄型ケースユニット３０の適宜個所から差し込みプラグ３１を有する所要長さのコード３２が延在している。中継制御装置Ｙは前記差し込みプラグ３１を図示しないコンセントに差し込むと商業用交流電源を利用して作動することができる。
【００３１】
本発明の電気錠装置１は、電池錠Ｘと携帯機Ｚとの間に中継制御装置Ｙを介在させた点に特徴があり、該中継制御装置Ｙと電池錠Ｘは双方向通信が可能に構成され、また該中継制御装置Ｙと携帯機Ｘも双方向通信が可能に構成されている。中継制御装置Ｙは中継送受信手段３３、及び望ましくはＩＤ認証手段３４を備えている。
【００３２】
しかして、中継送受信手段３３は、特に図示しないが、受信回路、送信回路、携帯機の識別情報、電池錠の識別情報、解錠指令情報等の必要な情報をメモリに格納したマイコン（中継制御部）を備え、プラグ３１及びコード３２を介して商業用交流電源により作動する。前記受信回路は望ましくは電池錠Ｘから発せられたリクエスト発動命令信号を乗せた高い周波数帯域の電波（ＶＨＦ）を受信する。中継制御装置Ｙは受信回路を介して前記リクエスト発動命令信号を受信すると、中継制御部は「リクエスト発動命令信号」であるか否かを判断し、その後、前記送信回路にリクエスト信号を出力するように制御する。送信回路から送信するリクエスト信号は幅広の領域に流れるように低い周波数帯域の電波（ＬＦ）を利用している。
【００３３】
ところで、前記送信回路は、マイコンからのリクエスト信号を所定周波数の電波に変調して送信アンテナを介して送信するためのものであるが、受信回路は携帯機Ｚとの関係では、携帯機から送信されてくるＩＤコード信号を受信するためのもので、該受信回路は前記ＩＤコード信号を受信すると、その信号を復調して受信信号を生成し、その受信信号をマイコンに出力する。中継制御装置Ｙと携帯機Ｘの双方向通信についても、中継制御装置Ｙと電池錠Ｘは双方向通信と同様に、実施形態の無線信号は、起動信号又は／及び解錠命令信号を運ぶ低い周波数帯域（ＬＦ）と、リクエスト発動命令信号或いはチャレンジコード等を運ぶ高い周波数帯域（ＶＨＦ）に区別されている。
【００３４】
認証手段３４は、例えば中継送受信手段３３が取得したＩＤコード信号がマイコンのメモリに登録した情報と一致するか否かを判断する。そして、前記登録情報とＩＤコード信号が一致したならば、その旨を、解錠命令信号（この実施形態では送受信手段２１が既に起動しているので、少なくとも解錠命令信号）をマイコンに出力（伝える）ことから、マイコンを構成要素とする中継送受信手段３３は、解錠命令信号を外部に送信する。解錠命令信号は低い周波数帯域（ＬＦ）に乗って幅広い領域に流れる。前述したように電池錠Ｘの制御手段２０は、その送受信手段２１を介して解錠命令信号を取得すると、ドアロック手段２２に対して解錠駆動信号を出力するように制御する。その結果、電池錠Ｘのデッドボルト１４は錠箱２内に後退する。
【００３５】
次に、本発明の電気錠装置の解錠方法について図４を参照に説明する。なお、図４では電池錠を「Ｘ」、中継制御装置を「Ｙ」、携帯機を「Ｚ」と簡略して示してある。
【００３６】
符号１Ａは、建物のドア１６に配置され電池６を電源として電気的に作動する電池錠Ｘと、電池３０を電源として電気的に作動する携帯機Ｚと、前記電池錠Ｘと前記携帯機Ｚとの間で互いに無線信号で通信することができるように介在し、かつ前記ドア１６又はドアの付近の壁のいずれかに配置された中継制御装置Ｙとから成る電気錠装置の解錠方法である。
【００３７】
本発明は前記中継制御装置Ｙを前記電池錠Ｘと前記携帯機Ｚとの間に介在させた点に特徴がある。また前述した休止モードにある前記電池錠Ｘを起動モードの作動させる手段が、接触型検知手段や操作スイッチである点に特徴がある。なお、各段階での送受信手段２１、制御手段２０、中継送受信手段３３、認証手段３４、待ち受け状態の受信手段２７、ＩＤデータ送信手段２８及びドアロック手段２２は、前述した電気錠装置の説明を援用する。
【００３８】
しかして、Ａは前記電池錠が前記携帯機Ｚの所持者が接触する検知信号又は所持者の操作によるスイッチ信号のいずれかにより休止モードから起動モードに切り換り、かつ送受信手段２１は制御手段２０の指令に基づきリクエスト発動命令信号を送信する第１段階である。この第１段階Ａでは「リクエスト発動命令信号」がＸからＹに送信される。
【００３９】
Ｂは前記中継制御装置Ｙが中継送受信手段３３を介してリクエスト発動命令信号を取得すると、携帯機Ｚに対してリクエスト信号を送信する第２段階である。この第２段階Ｂでは「リクエスト信号」がＹからＺに送信される。
【００４０】
Ｃは前記携帯機Ｚが待ち受け状態の受信手段２７を介して前記リクエスト信号を取得すると、ＩＤデータ送信手段２８を介して外部にＩＤデータを送信する第３段階である。この第３段階Ｃ  では「ＩＤデータ信号」がＺからＹに送信される（携帯機の呼応）。
Ｄは前記中継制御装置Ｙが中継送受信手段３３を介してＩＤデータを取得すると、前記中継送受信手段３３を介して解錠命令信号を外部に送信する第４段階である。この第４段階Ｄでは「解錠命令信号」がＹからＸに送信される（中継制御装置の呼応）。なお、中継送受信手段３３は、認証手段３４での適否を経た後に、解錠命令信号を電池錠２に対して送信するのが望ましい。
【００４１】
Ｅは電池錠がその送受信手段２１を介して解錠命令信号を取得すると、その制御手段２２はドアロック手段２２に対して解錠駆動信号を出力するように制御して解錠する第５段階である。この第５段階Ｅでは電池錠Ｘのデッドボルト１４は錠箱２内に後退する。
ところで、この実施形態では、前記認証手段３４は中継制御装置Ｙに備えられているが、認証手段３４は後述する第３実施形態の如く、電気錠２の制御手段２０、又は実施可能であれば電気錠２の受信手段に設けても良い。
【００４２】
したがって、電気錠装置の解錠方法も電気錠装置（１）と同様に、少なくとも前記中継制御装置又は電池錠のいずれかは認証手段を備え、前記解錠駆動信号を出力する前に暗号化されたデータを認証する。
【実施例】
【００４３】
電気錠装置及び電気錠装置の解錠方法の両発明において、電池錠Ｘの起動モードから休止モードの切り換えは、例えば所定時間（例えば３０秒）経過後、或いは所定時間内（例えば２９秒）に施錠信号が制御手段２２に入らない場合に自動的にモードが切り換る。
また実施形態の携帯機Ｚは、特許文献１と同様に待ち受け状態の受信手段２７を介して前記リクエスト信号を取得するが、これに限定されるものではない。携帯機Ｚの受信手段２７は、出願人が貴庁に提案した電池式電子キー（特開２０１０−１４４３４４号）を利用したものであっても良い。
【００４４】
その他、第三者が本発明を回避するために、例えば図５や図６の各実施形態を実施する可能性もあるので、ここで簡単に指摘する。
【００４５】
すなわち、図５は中継制御装置Ｙがドア１６に配設されている場合の実施形態（装置の第２実施形態）である。この場合には、中継制御装置Ｙそのものが電池４０を備えている。
【００４６】
また図６は、認証手段３４が電池錠２の制御手段２０に配設されている場合の実施形態（装置の第３実施形態）である。この場合にはＩＤデータ記憶部３５には携帯機ＺのＩＤデータが格納されている。もちろん、ＩＤデータ記憶部３５には、中継制御装置Ｙから送信されてくる暗号化データに対応する認証用データを格納している。
【００４７】
これらの実施形態も本発明の主たる課題を達成することができると共に、本発明の第１実施形態と同様の効果を得ることができる。
【００４８】
最後に、図７は電池錠２の受信回路２１ａが電池錠の電池６を消費しない実施形態（装置の第４実施形態）である。この第４実施形態は、電池６を消費するか否かで、受信回路２１ａと送信回路２１ｂに区分けされている。
【００４９】
すなわち、前記受信回路２１ａは中継制御装置Ｙから送信されてくる電波の電磁誘導の元種となるバースト信号を利用するので、電池６からの給電一切受けないで電力を賄うのに対して、前記送信回路２１ｂは、検知手段からの検知信号５又は操作手段５からの操作信号が制御手段２０に入ると、制御手段２０は自己の電池６を目当てにして電池６から給電を受ける。電池６から制御手段２０等に対する給電経路は仮想線で示したとおりである。
【００５０】
したがって、電池錠２の受信回路２１ａは、第１実施形態の携帯電子キーＺと同様なので、重複する説明を割愛するが、受信回路２１ａは、電磁エネルギーを有する電波を受信する不番の受信アンテナ、コンデンサ及びＩＣを有する。そして、待ち受け状態の受信回路２１ａは、中継制御装置Ｙから、少なくとも起動信号を受信すると、ＩＣは受信回路２１ａのコンデンサから給電を受けながら起動信号の適否を判断する。それ故に、受信回路２１ａは受信機能、自己発電機能、充電機能及び少なくとも起動信号が正しいか否かの適否を判断する機能を有する。
【００５１】
ところで、この図７で示す装置の第４実施形態に於いて、電池錠２の電池６をより一層消費しないことを目的として、電池錠２の制御手段２０は送信回路２１ｂにリクエスト発動命令信号を出力するように制御した後、直ちにモード切換え手段２０ａにより、電力を消費する起動モードから電池６の電力を消費しない休止モードに切り換えても良い。このような場合には、前記制御手段２０は受信回路２１ａから起動信号を受けた後に休止モードから起動モードに再び復活して前記電池６から給電を受ける。
【００５２】
上記構成の電池錠２は、第１実施形態のそれよりも、電池６の寿命を延ばすことができるという利点がある。
【産業上の利用可能性】
【００５３】
本発明は、建具及び錠前の技術分野で利用される。
【符号の説明】
【００５４】
１…電気錠装置、Ｘ…電池錠、Ｙ…中継制御装置、Ｚ…携帯機、Ａ〜Ｅ…第１段階から第５段階、２…錠箱、５…検知手段又はスイッチ、６…電池、２０…制御手段、２０ａ…モード切換え手段、２１…送受信手段、２１ａ…受信回路、２１ｂ…送信回路、２７…待ち受け状態の受信機能、２８…ＩＤデータ送信機能、３０…電池、３１…プラグ、３２…コード、１４…デッドボルト、１５…シリンダ。
【図１】
2015001142.tif 000003
【図２】
2015001142.tif 000004
【図３】
2015001142.tif 000005
【図４】
2015001142.tif 000006
【図５】
2015001142.tif 000007
【図６】
2015001142.tif 000008
【図７】
2015001142.tif 000009